(57)【要約】【課題】必要に応じてコンパクトに配置することで、部屋のスペースを広く使うことができるシステムデスクを提供する。【解決手段】システムデスク１は、上下に延びる支持脚２４、および支持脚２４により略水平に支持される天板２１を備えた小机２０と、上下に延びる支持脚１４、および支持脚１４により略水平に支持される天板１１を備えた大机１０とを有し、支持脚２４が、上下に延びて天板２１を支持する脚本体部材２２と、脚本体部材２２の下端部に着脱可能に取り付けられて天板２１の高さ位置を調整可能な天板高さ調整部材とから構成されており、小机２０は、脚本体部材２２に天板高さ調整部材が取り付けられた状態においては天板２１が天板１１と略同一高さとなり、脚本体部材２２から天板高さ調整部材が取り外された状態においては大机１０における天板１１の下側に収納可能に構成される。【選択図】  図１
2013094459.tif 000002
【特許請求の範囲】
【請求項１】
上下に延びる第１支持脚、および前記第１支持脚により略水平に支持される第１天板を備えた第１デスクと、
上下に延びる第２支持脚、および前記第２支持脚により略水平に支持される第２天板を備えた第２デスクとを有したシステムデスクであって、
前記第１支持脚が、上下に延びて前記第１天板を支持する第１脚本体部材と、前記第１脚本体部材の下端部に着脱可能に取り付けられて前記第１天板の高さ位置を調整可能な第１天板高さ調整部材とから構成されており、
前記第１デスクは、前記第１脚本体部材に前記第１天板高さ調整部材が取り付けられた状態においては前記第１天板が前記第２天板と略同一高さとなり、前記第１脚本体部材から前記第１天板高さ調整部材が取り外された状態においては前記第２デスクにおける前記第２天板の下側に収納可能に構成されたことを特徴とするシステムデスク。
【請求項２】
上下に延びて所定間隔を有して対向した一対の側板、前記一対の側板間に略水平に配設された底板、前記側板により略水平に支持される第３天板、および前記側板または前記底板の下面側に着脱可能に取り付けられて前記第３天板の高さ位置を調整可能な第３天板高さ調整部材を備えた収納棚を有し、
前記収納棚は、前記側板または前記底板に前記第３天板高さ調整部材が取り付けられた状態においては前記第３天板が前記第２天板と略同一高さとなり、前記側板または前記底板から前記第３天板高さ調整部材が取り外された状態においては前記第２デスクにおける前記第２天板の下側に収納可能に構成されたことを特徴とする請求項１に記載のシステムデスク。
【請求項３】
前記第２支持脚が、上下に延びて前記第２天板を支持する第２脚本体部材と、前記第２脚本体部材の下端部に着脱可能に取り付けられて前記第２天板の高さ位置を調整可能な第２天板高さ調整部材とから構成されており、
前記第１脚本体部材に前記第１天板高さ調整部材が取り付けられた前記第１デスクにおける前記第１天板の高さ位置、および前記側板または前記底板に前記第３天板高さ調整部材が取り付けられた前記収納棚における前記第３天板の高さ位置が、前記第２脚本体部材に前記第２天板高さ調整部材が取り付けられた前記第２デスクにおける前記第２天板の高さ位置と略同一となり、
前記第１脚本体部材から前記第１天板高さ調整部材が取り外された前記第１デスク、および前記側板または前記底板から前記第３天板高さ調整部材が取り外された前記収納棚が、前記第２脚本体部材に前記第２天板高さ調整部材が取り付けられた前記第２デスクにおける前記第２天板の下側に収納可能に構成されたことを特徴とする請求項２に記載のシステムデスク。
【請求項４】
前記第１天板、前記第２天板および前記第３天板が、平面視略長方形に形成されており、
前記第１天板の長辺方向長さと前記第３天板の長辺方向長さとが、略同一となるように構成され、
前記第１天板の短辺方向長さと前記第３天板の短辺方向長さとの合計長さが、前記第２天板の短辺方向長さと略同一となるように構成されたことを特徴とする請求項２または３に記載のシステムデスク。
【発明の詳細な説明】
【技術分野】
【０００１】
本発明は、複数の机等から構成され、使用環境等に応じてこれらの配置を変更して使用できるシステムデスクに関する。
【背景技術】
【０００２】
従来のシステムデスクの一例として、机と複数の書棚とから構成されるシステムデスクが知られている（例えば、特許文献１参照）。この特許文献１に開示されたシステムデスクでは、机、幅広書棚および幅狭書棚がそれぞれ独立して構成されるため、机に対する幅広書棚および幅狭書棚の配置を使用環境に応じて自由に変更できて、使い勝手が向上するという利点がある。また、幅広書棚が幅広下棚と幅広上棚とから構成され、幅狭書棚が幅狭下棚と幅狭上棚とから構成されている。そのため、幅広下棚と幅広上棚とを分離するとともに幅狭下棚と幅狭上棚とを分離した上で、机の脇に幅広下棚および幅狭下棚を並べて配置することで作業領域（机１０の天板と同一高さの領域）を拡大することも可能である（特許文献１の図７および図１３を参照）。
【先行技術文献】
【特許文献】
【０００３】
【特許文献１】特開２０１１−８７８２８号公報
【発明の概要】
【発明が解決しようとする課題】
【０００４】
上述したように、特許文献１に開示されたシステムデスクは、机、幅広下棚および幅狭下棚の自由な配置変更や作業領域の拡大が可能に構成されており、使い勝手が良い。しかし一方で、どのように配置したとしても机、幅広下棚および幅狭下棚の分の配置スペースが必要になるため、このシステムデスクが配置された部屋のスペースを広く使うことが難しいという難しいという課題があった。
【０００５】
本発明は、上記課題に鑑みてなされたものであり、必要に応じてコンパクトに配置することで部屋のスペースを広く使うことができるシステムデスクを提供することを目的とする。
【課題を解決するための手段】
【０００６】
上記目的を達成するため、本発明に係るシステムデスクは、上下に延びる第１支持脚（例えば、実施形態における支持脚２４）、および前記第１支持脚により略水平に支持される第１天板（例えば、実施形態における天板２１）を備えた第１デスク（例えば、実施形態における小机２０）と、上下に延びる第２支持脚（例えば、実施形態における支持脚１４）、および前記第２支持脚により略水平に支持される第２天板（例えば、実施形態における天板１１）を備えた第２デスク（例えば、実施形態における大机１０）とを有したシステムデスクであって、前記第１支持脚が、上下に延びて前記第１天板を支持する第１脚本体部材（例えば、実施形態における脚本体部材２２）と、前記第１脚本体部材の下端部に着脱可能に取り付けられて前記第１天板の高さ位置を調整可能な第１天板高さ調整部材（例えば、実施形態における天板高さ調整部材２３）とから構成されており、前記第１デスクは、前記第１脚本体部材に前記第１天板高さ調整部材が取り付けられた状態においては前記第１天板が前記第２天板と略同一高さとなり、前記第１脚本体部材から前記第１天板高さ調整部材が取り外された状態においては前記第２デスクにおける前記第２天板の下側に収納可能に構成されたことを特徴とする。
【０００７】
なお、上下に延びて所定間隔を有して対向した一対の側板、前記一対の側板間に略水平に配設された底板、前記側板により略水平に支持される第３天板（例えば、実施形態における天板３１）、および前記側板または前記底板の下面側に着脱可能に取り付けられて前記第３天板の高さ位置を調整可能な第３天板高さ調整部材（例えば、実施形態における天板高さ調整部材３７）を備えた収納棚（例えば、実施形態における下書棚３０）を有し、前記収納棚は、前記側板または前記底板に前記第３天板高さ調整部材が取り付けられた状態においては前記第３天板が前記第２天板と略同一高さとなり、前記側板または前記底板から前記第３天板高さ調整部材が取り外された状態においては前記第２デスクにおける前記第２天板の下側に収納可能に構成されたことが好ましい。
【０００８】
また、前記第２支持脚が、上下に延びて前記第２天板を支持する第２脚本体部材（例えば、実施形態における脚本体部材１２）と、前記第２脚本体部材の下端部に着脱可能に取り付けられて前記第２天板の高さ位置を調整可能な第２天板高さ調整部材（例えば、実施形態における天板高さ調整部材１３）とから構成されており、前記第１脚本体部材に前記第１天板高さ調整部材が取り付けられた前記第１デスクにおける前記第１天板の高さ位置、および前記側板または前記底板に前記第３天板高さ調整部材が取り付けられた前記収納棚における前記第３天板の高さ位置が、前記第２脚本体部材に前記第２天板高さ調整部材が取り付けられた前記第２デスクにおける前記第２天板の高さ位置と略同一となり、前記第１脚本体部材から前記第１天板高さ調整部材が取り外された前記第１デスク、および前記側板または前記底板から前記第３天板高さ調整部材が取り外された前記収納棚が、前記第２脚本体部材に前記第２天板高さ調整部材が取り付けられた前記第２デスクにおける前記第２天板の下側に収納可能に構成されたことが好ましい。
【０００９】
さらに、前記第１天板、前記第２天板および前記第３天板が、平面視略長方形に形成されており、前記第１天板の長辺方向長さと前記第３天板の長辺方向長さとが、略同一となるように構成され、前記第１天板の短辺方向長さと前記第３天板の短辺方向長さとの合計長さが、前記第２天板の短辺方向長さと略同一となるように構成されたことが好ましい。
【発明の効果】
【００１０】
本発明に係るシステムデスクにおいては、第１デスクが、第１天板高さ調整部材が取り付けられた状態においては第１天板が第２天板と略同一高さとなり、第１天板高さ調整部材が取り外された状態においては第２デスクにおける第２天板の下側に収納可能に構成される。そのため、例えばシステムデスクをコンパクトに配置しようとする場合には、第１脚本体部材から第１天板高さ調整部材を取り外すことで第１天板の高さを低くし、このようにして第１天板を低くした第１デスクを第２天板の下側に収納することで、第１デスクの占有スペース分だけシステムデスクをコンパクトに配置可能となる。また、このようにして第１デスクを第２天板の下側に収納して片付けることで、第１デスクの占有スペース分だけ、システムデスクが配置された部屋のスペースを広く使うことができるようになる。
【００１１】
なお、収納棚が、第３天板高さ調整部材が取り付けられた状態においては第３天板が第２天板と略同一高さとなり、第３天板高さ調整部材が取り外された状態においては第２デスクにおける第２天板の下側に収納可能に構成されたことが好ましい。この構成の場合、例えば本等を収納する収納棚を有するシステムデスクを構成した場合であっても、第３天板高さ調整部材を取り外すことで必要に応じてこの収納棚を第２天板の下側に収納することができ、収納棚の占有スペース分だけシステムデスクをコンパクトに配置できる。よって、このようにして収納棚を第２天板の下側に収納して片付けることで、収納棚の占有スペース分だけ、システムデスクが配置された部屋のスペースを広く使うことができるようになる。
【００１２】
また、第１天板高さ調整部材が取り付けられた第１デスクにおける第１天板の高さ位置、および第３天板高さ調整部材が取り付けられた収納棚における第３天板の高さ位置が、第２天板高さ調整部材が取り付けられた第２デスクにおける第２天板の高さ位置と略同一となり、第１天板高さ調整部材が取り外された第１デスク、および第３天板高さ調整部材が取り外された収納棚が、第２天板高さ調整部材が取り付けられた第２デスクにおける第２天板の下側に収納可能に構成されたことが好ましい。このように構成した場合、第１デスクに第１天板高さ調整部材を取り付け、収納棚に第３天板高さ調整部材を取り付け、且つ第２デスクに第２天板高さ調整部材を取り付けることで、第１〜第３天板の高さ位置を互いに揃えた使いやすいシステムデスクを構成できる。また、この状態において、第１デスクから第１天板高さ調整部材を取り外し、収納棚から第３天板高さ調整部材を取り外すだけで、第１デスクおよび収納棚を第２デスクにおける第２天板の下側に収納可能となる。
【００１３】
さらに、第１天板の長辺方向長さと第３天板の長辺方向長さとが、略同一となるように構成され、第１天板の短辺方向長さと第３天板の短辺方向長さとの合計長さが、第２天板の短辺方向長さと略同一となるように構成されたことが好ましい。このように構成した場合には、第２天板の短辺に沿うように第１デスクおよび下書棚を配置したときに、第２天板の短辺に沿う方向への突出を抑えるように第１デスクおよび下書棚を配置することが可能になる。
【図面の簡単な説明】
【００１４】
【図１】本発明を適用したシステムデスクの第１の配置構成例を示す図であって、（ａ）は正面図を、（ｂ）は平面図をそれぞれ示す。
【図２】上記システムデスクを構成する大机を示す図であって、（ａ）は正面図を、（ｂ）は平面図を、（ｃ）は側面図をそれぞれ示す。
【図３】脚本体部材と天板高さ調整部材とを示す図であって、（ａ）はそれぞれの端部の斜視図を、（ｂ）および（ｃ）は脚本体部材に対する天板高さ調整部材の取付構成を示す説明図をそれぞれ示す。
【図４】上記システムデスクを構成する小机を示す図であって、（ａ）は正面図を、（ｂ）は平面図を、（ｃ）は側面図をそれぞれ示す。
【図５】上記システムデスクを構成する下書棚を示す図であって、（ａ）は正面図を、（ｂ）は平面図を、（ｃ）は側面図をそれぞれ示す。
【図６】底板と天板高さ調整部材とを示す図であって、（ａ）はそれぞれの端部の斜視図を、（ｂ）は底板に対する天板高さ調整部材の取付構成を示す説明図をそれぞれ示す。
【図７】上記システムデスクを構成する上書棚を示す図であって、（ａ）は正面図を、（ｂ）は平面図を、（ｃ）は側面図をそれぞれ示す。
【図８】上記システムデスクを構成する収容ワゴンを示す図であって、（ａ）は正面図を、（ｂ）は平面図を、（ｃ）は側面図をそれぞれ示す。
【図９】上記システムデスクの第２の配置構成例を示す図であって、（ａ）は正面図を、（ｂ）は平面図をそれぞれ示す。
【図１０】上記システムデスクの第３の配置構成例を示す図であって、（ａ）は正面図を、（ｂ）は平面図をそれぞれ示す。
【図１１】上記システムデスクの第４の配置構成例を示す図であって、（ａ）は正面図を、（ｂ）は平面図をそれぞれ示す。
【図１２】上記システムデスクの第５の配置構成例を示す図であって、（ａ）は正面図を、（ｂ）は平面図をそれぞれ示す。
【図１３】上記システムデスクの第６の配置構成例を示す図であって、（ａ）は正面図を、（ｂ）は平面図をそれぞれ示す。
【図１４】上記システムデスクの第７の配置構成例を示す図であって、（ａ）は正面図を、（ｂ）は平面図をそれぞれ示す。
【図１５】上記システムデスクの第８の配置構成例を示す図であって、（ａ）は正面図を、（ｂ）は平面図をそれぞれ示す。
【図１６】上記システムデスクの第９の配置構成例を示す図であって、（ａ）は正面図を、（ｂ）は平面図をそれぞれ示す。
【発明を実施するための形態】
【００１５】
以下、図面を参照しながら、本発明の実施形態について説明する。なお、説明の便宜上、各図面に付記する矢印方向で前後、左右および上下方向を定義し、この方向を用いて以下の説明を行う。まず、図１〜８を参照しながら、本発明を適用した一例としてのシステムデスク１の構成について説明する。
【００１６】
システムデスク１は、図１に示すように、大机１０と、小机２０と、下書棚３０と、上書棚４０と、収容ワゴン５０とから構成される。なお、図１では、大机１０の下側に、小机２０、下書棚３０および収容ワゴン５０を収納した配置を例示しているが、システムデスク１はこの例に限定されることなく後述するように種々の配置が可能となっている。
【００１７】
大机１０は、図２に示すように、平面視略長方形に形成された天板１１と、この天板１１の下面側四隅に下方に延びるように取り付けられて天板１１を略水平に支持する４つの支持脚１４とから構成される。各支持脚１４は、図２（ａ）に示すように、上下に延びる角柱状に形成されて上端部が天板１１に取り付けられた脚本体部材１２と、脚本体部材１２と同一断面形状を有して脚本体部材１２の下端部に着脱可能に取り付けられた天板高さ調整部材１３とから構成される。図３（ａ）に示すように、天板高さ調整部材１３の中央部分にはねじ挿通孔１３ａが上下に貫通して形成され、また、天板高さ調整部材１３の上端面から上方に突出するように位置決め突起１３ｂが取り付けられている。一方、脚本体部材１２の下端面の中央部分にはねじ締結孔１２ａが形成され、また、天板高さ調整部材１３の位置決め突起１３ｂに対応する位置に、位置決め突起１３ｂと嵌合する突起受容孔１２ｂが形成されている。
【００１８】
脚本体部材１２に天板高さ調整部材１３を取り付ける際には、まず図３（ｂ）に示すように、天板高さ調整部材１３の位置決め突起１３ｂを脚本体部材１２の突起受容孔１２ｂに嵌合させるようにして、天板高さ調整部材１３の上端面と脚本体部材１２の下端面とを対向させる。その状態で、天板高さ調整部材１３のねじ挿通孔１３ａに下方から締結ねじ１５を挿入し、この締結ねじ１５を脚本体部材１２のねじ締結孔１２ａに締結することで、天板高さ調整部材１３が脚本体部材１２に取り付けられる。このように、位置決め突起１３ｂを突起受容孔１２ｂに嵌合させる構成とすることで、脚本体部材１２に天板高さ調整部材１３を位置決めして（側面の向きを揃えた状態で）取り付けることができる。なお、締結ねじ１５を緩めることで、脚本体部材１２から天板高さ調整部材１３を取り外すことができる。
【００１９】
この構成により大机１０は、脚本体部材１２に天板高さ調整部材１３を取り付けることで、この天板高さ調整部材１３の上下高さＬ１３だけ天板１１の高さ位置を高くすることができる（図３（ｂ）参照）。これとは反対に、脚本体部材１２から天板高さ調整部材１３を取り外すことで、天板高さ調整部材１３の上下高さＬ１３だけ天板１１の高さ位置を下げることができる。このように大机１０は、脚本体部材１２に天板高さ調整部材１３を着脱するだけで、天板１１の高さ位置を上下高さＬ１３だけ変更できるようになっている。なお、図１には、脚本体部材１２に天板高さ調整部材１３が取り付けられた状態を図示している。
【００２０】
小机２０は、図４に示すように、平面視略長方形に形成された天板２１と、この天板２１の下面側四隅に下方に延びるように取り付けられて天板２１を略水平に支持する４つの支持脚２４とから構成される。各支持脚２４は、図４（ａ）に示すように、上下に延びる角柱状に形成されて上端部が天板２１に取り付けられた脚本体部材２２と、この脚本体部材２２と同一断面形状を有して脚本体部材２２の下端部に着脱可能に取り付けられた天板高さ調整部材２３とから構成される。ここで、天板高さ調整部材２３は、その上下高さＬ２３が大机１０の天板１１の厚みよりも大きくなるように形成されている（図３（ｂ）参照）。脚本体部材２２と天板高さ調整部材２３との着脱構成は、大机１０の支持脚１４と同様となっているため（図３参照）、ここでの詳細な説明は省略する。このように小机２０は、脚本体部材２２に天板高さ調整部材２３を着脱するだけで、天板２１の高さ位置を上下高さＬ２３だけ変更できるようになっている。なお、図１には、脚本体部材２２から天板高さ調整部材２３が取り外された状態を図示している。
【００２１】
下書棚３０は、図５に示すように、平面視略長方形に形成された天板３１と、この天板３１と上下に所定間隔を有して配置された平面視略長方形の底板３２と、天板３１と底板３２との左右端部を繋いで上下に延びて配置された左右一対の側板３３と、一対の側板３３の前部を繋ぐように配置された背板３４と、天板３１、底板３２、側板３３および背板３４によって囲まれる収納空間３０ａ内に上下に延びて配置されてこの収納空間３０ａを左右に二分する仕切り板３５と、仕切り板３５によって二分された各空間内に略水平に配置された棚板３６と、底板３２の下面側四隅に着脱可能に取り付けられた４つの天板高さ調整部材３７とから構成される。ここで、天板高さ調整部材３７は、その上下高さＬ３７が大机１０の天板１１の厚みよりも大きくなるように形成されている（図６（ｂ）参照）。
【００２２】
底板３２の下面側四隅には、図６（ａ）に示すようにねじ締結孔３２ａが形成され、また、天板高さ調整部材３７の中央部分にはねじ挿通孔３７ａが上下に貫通して形成されている。底板３２に天板高さ調整部材３７を取り付ける際には、まず図６（ｂ）に示すように、天板高さ調整部材３７の上端面と底板３２の下面とを対向させる。その状態で、天板高さ調整部材３７のねじ挿通孔３７ａに下方から締結ねじ３８を挿入し、この締結ねじ３８を底板３２のねじ締結孔３２ａに締結することで、天板高さ調整部材３７が底板３２に取り付けられる。これとは反対に、底板３２に天板高さ調整部材３７が取り付けられた状態で締結ねじ３８を緩めることで、底板３２から天板高さ調整部材３７を取り外すことができる。このように下書棚３０は、底板３２に天板高さ調整部材３７を着脱することで、天板３１の高さ位置を上下高さＬ３７だけ変更できるようになっている。なお、図１には、底板３２から天板高さ調整部材３７が取り外された状態を図示している。
【００２３】
ここで、図２（ｂ）、図４（ｂ）および図５（ｂ）に示すように、天板２１の長辺側の左右幅Ｗ２１と天板３１の長辺側の左右幅Ｗ３１とは互いに略同一で、且つこれらの左右幅バルブＷ２１，Ｗ３１が天板１１の短辺側の前後幅Ｄ１１と略同一（Ｗ２１≒Ｗ３１≒Ｄ１１）となるように形成されている。さらに、天板２１の短辺側の前後幅Ｄ２１と天板３１の短辺側の前後幅Ｄ３１とを合わせた合計長さが、天板１１の短辺側の前後幅Ｄ１１と略同一（Ｄ２１＋Ｄ３１≒Ｄ１１）となるように形成されている。
【００２４】
上書棚４０は、図７に示すように、左右に所定間隔を有して配置された一対の側板４１と、側板４１の前端部に取り付けられた上背板４２ａ、下背板４２ｂと、一対の側板４１間に略水平に配置された棚板４３と、棚板４３の下側に前後にスライド可能に設けられた２つの引出し４４とから構成される。また、上背板４２ａと下背板４２ｂとの間の隙間には、この隙間に沿って左右に移動可能にスライド部材４５が取り付けられ、このスライド部材４５に仕切り板４６が取り付けられている。この上書棚４０は、図示しない取付金具を用いることで、天板１１，２１，３１のそれぞれに対して端部に沿うように着脱可能に取り付けることができるようになっている。なお、上書棚４０は、その左右幅Ｗ４０が、天板２１の左右幅Ｗ２１および天板３１の左右幅Ｗ３１と略同一（Ｗ４０≒Ｗ２１≒Ｗ３１）となるように形成されている。
【００２５】
収容ワゴン５０は、図８に示すように、略直方体に形成されたワゴン本体部５１と、このワゴン本体部５１に対して各々前後にスライド移動可能に取り付けられた上引出し５２と、中引出し５３と、下引出し５４と、ワゴン本体部５１の下端部に取り付けられた複数のキャスター５５とから構成される。また、上引出し５２、中引出し５３および下引出し５４の後面には、各々埋め込み取っ手５２ａ，５３ａ，５４ａが設けられている。
【００２６】
このシステムデスク１では、大机１０に天板高さ調整部材１３が取り付けられ、小机２０に天板高さ調整部材２３が取り付けられ、且つ下書棚３０に天板高さ調整部材３７が取り付けられた状態においては、大机１０、小机２０および下書棚３０の各天板１１，２１，３１の高さ位置が揃うように構成されている（図１１参照）。また、本実施形態では、天板高さ調整部材１３，２３，３７がそれぞれの上下高さを揃えるように形成されている場合を例示している。そのため、大机１０から天板高さ調整部材１３を取り外し、小机２０から天板高さ調整部材２３を取り外し、且つ下書棚３０から天板高さ調整部材３７を取り外した状態においても、各天板１１，２１，３１の高さ位置が揃うようになっている。
【００２７】
また、天板高さ調整部材１３が取り付けられた大机１０の天板１１と、天板高さ調整部材２３が取り外された小机２０の天板２１とでは、天板２１の上面が天板１１の下面よりも下方に位置するように構成されている（図１参照）。さらに、天板高さ調整部材１３が取り付けられた大机１０の天板１１と、天板高さ調整部材３７が取り外された下書棚３０の天板３１とでは、天板３１の上面が天板１１の下面よりも下方に位置するように構成されている（図１参照）。
【００２８】
以上のように構成されるシステムデスク１では、上述した天板高さ調整部材１３，２３，３７の着脱等により、例えば以下に説明するような第１〜第９配置構成例が可能となっている。なお、以下に説明する配置構成例は一例であって、他の配置構成を採用することも可能である。
【００２９】
まず、図１を参照しながら、第１の配置構成例について説明する。この第１の配置構成例の配置にする前段階として、例えば大机１０、小机２０および下書棚３０にそれぞれ天板高さ調整部材１３，２３，３７が取り付けられて天板１１，２１，３１同士の高さ位置が揃った状態で、大机１０の周囲に小机２０および下書棚３０が配置されている場合を想定する（以下において、これを組み替え前の状態と称する）。また、この組み替え前の状態においては、上書棚４０は、取付金具を用いて下書棚３０の天板３１上に取り付けられているものとする。
【００３０】
組み替え前の状態において、例えばユーザーがシステムデスク１をなるべくコンパクトに配置して部屋のスペースを広く使いたい場合には、まず、取付金具を外して下書棚３０と上書棚４０とを分離し、この分離された上書棚４０を大机１０の天板１１上に載置して、取付金具を用いて天板１１に固定する。次に、下書棚３０の底板３２から天板高さ調整部材３７を取り外す。こうすることで、天板高さ調整部材３７の上下高さＬ３７だけ天板３１の高さ位置を低くして、天板高さ調整部材１３が取り付けられた大机１０における天板１１の下側に下書棚３０を収納可能な状態にできる。そして、天板１１の下側に下書棚３０を収納することで、下書棚３０が占有していたスペース分だけシステムデスク１をコンパクトに配置することができる。
【００３１】
続いて、小机２０から天板高さ調整部材２３を取り外す。こうすることで、天板高さ調整部材２３の上下高さＬ２３だけ天板２１の高さ位置を低くして、天板高さ調整部材１３が取り付けられた大机１０における天板１１の下側に小机２０を収納可能な状態にできる。そして、天板１１の下側に小机２０を収納することで、小机２０が占有していたスペース分だけシステムデスク１をコンパクトに配置することができる。以上の説明から分かるように、この第１の配置構成例を採用した場合には、小机２０および下書棚３０の占有スペース分だけシステムデスク１をコンパクトに配置することが可能になる。また、収容ワゴン５０も同様に天板１１の下側に収納することで、より一層システムデスク１をコンパクトに配置できる。また、小机２０および下書棚３０を使わないときには、このように大机１０の下側に小机２０および下書棚３０を収納して片付けることで、小机２０および下書棚３０の占有スペース分だけ、システムデスク１が配置された部屋のスペースを広く使うことができるようになる。
【００３２】
次に、図９を参照しながら、第２の配置構成例について説明する。組み替え前の状態において、例えばユーザーが天板１１の作業領域（左右幅Ｗ１１で前後幅Ｄ１１の領域）を確保しつつ、システムデスク１をなるべくコンパクトに配置して部屋のスペースを広く使いたい場合には、まず、小机２０から天板高さ調整部材２３を取り外す。こうすることで、天板高さ調整部材２３の上下高さＬ２３だけ天板２１の高さ位置を低くして、天板高さ調整部材１３が取り付けられた大机１０における天板１１の下側に小机２０を収納可能な状態にできる。そして、天板１１の下側に小机２０を収納することで、小机２０が占有していたスペース分だけシステムデスク１をコンパクトに配置することができる。また、小机２０を使わないときには、このように大机１０の下側に小机２０を収納して片付けることで、小机２０の占有スペース分だけ、システムデスク１が配置された部屋のスペースを広く使うことができるようになる。
【００３３】
続いて、上書棚４０が取り付けられた下書棚３０を大机１０の左脇に、天板３１の長辺と天板１１の短辺とを向かい合わせるようにして配置する。こうすることで、天板１１と天板３１との高さ位置を揃えるとともに、天板１１に対して天板３１の前後幅をほぼ揃えることができ、大机１０の脇に下書棚３０をすっきりと配置することが可能である。また、収容ワゴン５０も同様に天板１１の下側に収納することで、より一層システムデスク１をコンパクトに配置できる。なお、天板１１の下側に収納した小机２０を後方に引き出すことで、天板２１に例えばキーボードやマウスを載置することができ、種々の使用形態にも対応可能になる。
【００３４】
次に、図１０を参照しながら、第３の配置構成例について説明する。組み替え前の状態において、例えばユーザーが天板１１の作業領域をもう少し拡大した上で、システムデスク１をなるべくコンパクトに配置して部屋のスペースを広く使いたい場合には、まず、取付金具を外して下書棚３０と上書棚４０とを分離し、この分離された上書棚４０を小机２０の天板２１上に載置して、取付金具を用いて天板２１に固定する。次に、下書棚３０の底板３２から天板高さ調整部材３７を取り外す。こうすることで、天板高さ調整部材３７の上下高さＬ３７だけ天板３１の高さ位置を低くして、天板高さ調整部材１３が取り付けられた大机１０における天板１１の下側に下書棚３０を収納可能な状態にできる。そして、天板１１の下側に下書棚３０を収納することで、下書棚３０が占有していたスペース分だけシステムデスク１をコンパクトに配置することができる。また、下書棚３０を使わないときには、このように大机１０の下側に下書棚３０を収納して片付けることで、下書棚３０の占有スペース分だけ、システムデスク１が配置された部屋のスペースを広く使うことができるようになる。
【００３５】
続いて、小机２０を大机１０の左脇に、天板２１の長辺と天板１１の短辺とを向かい合わせるようにして配置する。こうすることで、天板１１と天板２１との高さ位置を揃えるとともに、天板１１に対して天板２１の前後幅をほぼ揃えることができ、大机１０の脇に小机２０をすっきりと配置することが可能である。また、天板２１には、上書棚４０が取り付けられた部分以外に作業領域が残されており、この残された領域分だけシステムデスク１全体としての作業領域を拡大させることができる。
【００３６】
次に、図１１を参照しながら、第４の配置構成例について説明する。組み替え前の状態において、例えばユーザーが天板１１の作業領域をなるべく拡大させようとする場合には、まず、取付金具を外して下書棚３０と上書棚４０とを分離し、この分離された上書棚４０を大机１０の天板１１上に載置して、取付金具を用いて天板１１に固定する。次に、小机２０を大机１０の右脇に、天板２１の短辺と天板１１の短辺とを向かい合わせるようにして配置する。続いて、下書棚３０を大机１０の右脇に、天板３１の短辺と天板１１の短辺とを向かい合わせ、且つ天板３１の長辺と天板２１の長辺とを向かい合わせるようにして配置する。こうすることで、天板１１、天板２１および天板３１の互いの高さ位置を揃えるとともに、天板２１の左右幅Ｗ２１だけ天板１１の作業領域を左右に拡大させることができる。
【００３７】
また、この第４の配置構成例において、天板１１，２１，３１の互いの高さ位置を低くしたい場合には、大机１０から天板高さ調整部材１３を取り外し、小机２０から天板高さ調整部材２３を取り外し、下書棚３０から天板高さ調整部材３７を取り外す。ここで、上述したように、天板高さ調整部材１３，２３，３７がそれぞれの上下高さを揃えるように形成されているので、天板高さ調整部材１３，２３，３７を取り外すことで、天板高さ調整部材１３，２３，３７の上下高さ分だけ天板１１，２１，３１の高さ位置を低くして揃えることができる。
【００３８】
次に、図１２を参照しながら、第５の配置構成例について説明する。組み替え前の状態において、例えば下書棚３０をユーザーＵの近くに配置しつつ天板１１の作業領域を拡大させようとする場合には、まず、取付金具を外して下書棚３０と上書棚４０とを分離し、この分離された上書棚４０を小机２０の天板２１上に載置して、取付金具を用いて天板２１に固定する。次に、小机２０を大机１０の左脇に、天板２１の長辺と天板１１の短辺とを向かい合わせるようにして配置する。続いて、下書棚３０を小机２０の後側に、天板３１の短辺と天板２１の短辺とを向かい合わせるようにして配置する。こうすることで、天板２１における上書棚４０が取り付けられた部分以外の部分、および天板３１の分だけの作業領域を拡大させることができるとともに、下書棚３０をユーザーＵの近くに配置することができる。また、この第５の配置構成例において、天板１１，２１，３１の互いの高さ位置を低くしたい場合には、大机１０から天板高さ調整部材１３を取り外し、小机２０から天板高さ調整部材２３を取り外し、下書棚３０から天板高さ調整部材３７を取り外すことで、天板高さ調整部材１３，２３，３７の上下高さ分だけ天板１１，２１，３１の高さ位置を低くして揃えることができる。
【００３９】
次に、図１３を参照しながら、第６の配置構成例について説明する。この第６の配置構成例は、組み替え前の状態において、例えば下書棚３０および上書棚４０の使用頻度が高くないため、下書棚３０および上書棚４０をユーザーＵから離れた位置に配置するとともに、小机２０をなるべくユーザーＵの近くに配置しようと場合に適した例である。まず、下書棚３０を大机１０の左脇に、天板３１の長辺と天板１１の短辺とを向かい合わせるようにして配置する。続いて、小机２０を下書棚３０の後側に、天板２１の短辺と天板３１の短辺とを向かい合わせるようにして配置することで、第６の配置構成例が構成できる。また、この第６の配置構成例において、天板１１，２１，３１の互いの高さ位置を低くしたい場合には、天板高さ調整部材１３，２３，３７を取り外すことで、その分だけ天板１１，２１，３１の高さ位置を低くして揃えることができる。
【００４０】
次に、図１４を参照しながら、第７の配置構成例について説明する。この第７の配置構成例は、例えば天板１１ほどの大きな作業領域は必要ではなく天板２１の作業領域で十分な場合に適した例であり、大机１０を別の場所に移動させた上で、天板２１の長辺と天板３１の長辺とを合わせるようにして配置することで構成できる。学習デスク用としてシステムデスク１を構成した場合、ユーザーが年少時には大きな作業領域が要求されないことが多く、このときに第７の配置構成例のように配置することで必要十分な作業領域を確保しつつ、大机１０を別の場所で別の用途（例えばダイニングテーブル）に用いることが可能である。そして、ユーザーの成長に伴って大きな作業領域が要求される場合には、別の場所に移動させていた大机１０を用いて例えば第１〜第６の配置構成例のように配置することで、この要求を満たすことができる。また、この第７の配置構成例において、天板２１，３１の互いの高さ位置を低くしたい場合には、天板高さ調整部材２３，３７を取り外すことで、その分だけ天板２１，３１の高さ位置を低くして揃えることができる。
【００４１】
次に、図１５を参照しながら、第８の配置構成例について説明する。この第８の配置構成例は、天板２１の作業領域で十分な場合であって、下書棚３０および上書棚４０をユーザーＵの近くに配置したい場合に適した例である。大机１０を別の場所に移動させた上で、天板２１の短辺と天板３１の長辺とを合わせるように配置することで構成できる。この第８の配置構成例は、上述した第７の配置構成例と同様に、ユーザーの成長に伴って大きな作業領域が要求される場合には、別の場所に移動させていた大机１０を用いて例えば第１〜第６の配置構成例のように配置することで、この要求を満たすことができる。また、この第８の配置構成例において、天板２１，３１の互いの高さ位置を低くしたい場合には、天板高さ調整部材２３，３７を取り外すことで、その分だけ天板２１，３１の高さ位置を低くして揃えることができる。
【００４２】
次に、図１６を参照しながら、第９の配置構成例について説明する。この第９の配置構成例は、図１１に示す第４の配置構成例と同様に、例えばユーザーが天板１１の作業領域をなるべく拡大させようとする場合に適した例である。天板１１の左側に天板２１を長辺同士を向かい合わせるように配置し、この天板２１の左側に天板３１を長辺同士を向かい合わせるように配置することで構成される。この第９の配置構成例によれば、前後幅を抑えつつ天板１１の作業領域を天板２１および天板３１の分だけ拡大させることができる。また、この第９の配置構成例において、天板１１，２１，３１の互いの高さ位置を低くしたい場合には、天板高さ調整部材１３，２３，３７を取り外すことで、その分だけ天板１１，２１，３１の高さ位置を低くして揃えることができる。
【００４３】
上述の実施形態においては、平面視略長方形の天板を有した大机１０、小机２０、下書棚３０を例示して説明したが、本発明はこの構成例に限定して適用されるものではない。例えば、円形、楕円形、三角形、正方形等の長方形以外の形状の天板を備えて構成される机や書棚にも、本発明を適用可能である。
【００４４】
上述の実施形態においては、底板３２の下面に天板高さ調整部材３７が着脱可能に取り付けられるように構成された下書棚３０を例示したが、これ以外にも例えば側板３３の下端部に天板高さ調整部材３７を着脱可能に取り付ける構成でも良い。
【００４５】
上述の実施形態においては、下書棚３０の天板高さ調整部材３７に位置決め突起が設けられていない構成を例示して説明したが、本発明はこの構成に限定されるものではない。例えば、天板高さ調整部材３７にも、天板高さ調整部材１３と同様の位置決め突起を設け、天板高さ調整部材３７と天板高さ調整部材１３とを共通化することも可能である。このように構成した場合には、部品点数を減らして製造コストを低減できる。
【００４６】
上述の実施形態では、天板高さ調整部材を取り付けることで天板の高さ位置を高くし、天板高さ調整部材を取り外すことで天板の位置を低くすることができる構成を例示して説明したが、本発明はこの構成に限定して適用されるものではない。例えば、複数の天板高さ調整部材を上下方向に並べて着脱可能に取り付ける構成も可能である。例えば天板高さ調整部材を上下方向に２つ並べて着脱可能に取り付ける構成とした場合、２つの天板高さ調整部材を取り付けることで天板の高さを高位置とでき、この状態から下側の天板高さ調整部材を取り外すことで天板の高さを高位置よりも低い中位置とでき、さらにこの状態から残りの天板高さ調整部材を取り外すことで天板の高さを中位置よりも低い低位置とでき、例えばユーザーの成長に応じて最適な高さに天板を位置させることができる。
【００４７】
図１１〜１６に示した第４〜第９の配置構成例においては、天板同士の高さ位置を揃える配置構成を例示したが、この配置構成以外にも、例えば一部の天板の高さ位置が異なるように天板高さ調整部材を取り外した配置構成も可能である。
【００４８】
上述の実施形態では、大机１０、小机２０および下書棚３０のそれぞれが、天板の高さを調整可能に構成された例について説明したが、本発明はこの構成に限定されるものではない。例えば天板１１の高さを低くして、大机１０を小机２０の下に収納するような使い方が少ないと考えられる場合には、脚本体部材１２に対して天板高さ調整部材１３が着脱可能に構成された支持脚１４を用いる代わりに、脚本体部材１２と天板高さ調整部材１３とが一体的に形成された支持脚１４を用いて大机１０を構成しても良い。
【符号の説明】
【００４９】
１  システムデスク
１０  大机（第２デスク）
１１  天板（第２天板）
１２  脚本体部材（第２脚本体部材）
１３  天板高さ調整部材（第２天板高さ調整部材）
１４  支持脚（第２支持脚）
２０  小机（第１デスク）
２１  天板（第１天板）
２２  脚本体部材（第１脚本体部材）
２３  天板高さ調整部材（第１天板高さ調整部材）
２４  支持脚（第１支持脚）
３０  下書棚（収納棚）
３１  天板（第３天板）
３２  底板
３３  側板
３７  天板高さ調整部材（第３天板高さ調整部材）
【図１】
2013094459.tif 000003
【図２】
2013094459.tif 000004
【図３】
2013094459.tif 000005
【図４】
2013094459.tif 000006
【図５】
2013094459.tif 000007
【図６】
2013094459.tif 000008
【図７】
2013094459.tif 000009
【図８】
2013094459.tif 000010
【図９】
2013094459.tif 000011
【図１０】
2013094459.tif 000012
【図１１】
2013094459.tif 000013
【図１２】
2013094459.tif 000014
【図１３】
2013094459.tif 000015
【図１４】
2013094459.tif 000016
【図１５】
2013094459.tif 000017
【図１６】
2013094459.tif 000018